(57)【特許請求の範囲】
【請求項１】
光ファイバケーブルの接続部又は余長部を収納するケーブル接続箱において、
前面側が開口された前面開口部を有し、左右両側の側面に前記光ファイバケーブルの導入口が形成されたケース本体と、
前記ケース本体に取り付けられ、該ケース本体の前面開口部を開閉自在に閉塞するケース蓋と、
光ファイバ心線の接続部又は余長部を収納するトレイと、
前記ケース本体の左側側面の近傍に当該左側側面に沿って設置され、左側側面の導入口から導入された光ファイバケーブルの外被を把持固定する第１の把持部と、右側側面の導入口から導入された光ファイバケーブルのうちの外被が剥離されたスロット又はスロットが剥離されたテンションメンバを把持固定する第２の把持部とが交互に配置され、前記第１の把持部と前記第２の把持部とが一体的に形成された左側把持部材と、
前記ケース本体の右側側面の近傍に当該右側側面に沿って設置され、右側側面の導入口から導入された光ファイバケーブルの外被を把持固定する第３の把持部と、左側側面の導入口から導入された光ファイバケーブルのうちの外被が剥離されたスロット又はスロットが剥離されたテンションメンバを把持固定する第４の把持部とが交互に配置され、前記第３の把持部と前記第４の把持部とが一体的に形成された右側把持部材と、
を備え、
左側側面の導入口、当該導入口に対応する第１の把持部及び第４の把持部が、略同一線上に配置され、
右側側面の導入口、当該導入口に対応する第３の把持部及び第２の把持部が、略同一線上に配置されたことを特徴とするケーブル接続箱。
【請求項２】
前記左側把持部材と前記右側把持部材とは、同一形状の部品であり、前記ケース本体の中央部の所定点に対して点対称となる位置に配置されたことを特徴とする請求項１記載のケーブル接続箱。
【請求項３】
前記トレイは、前記ケース本体の前面開口部内に所定のトレイ回動軸回りに回動自在に取り付けられ、
前記左側把持部材及び前記右側把持部材の両端部には、前記トレイ回動軸の軸穴と嵌合し回転軸として機能する棒状の突起が設けられたことを特徴とする請求項１又は請求項２に記載のケーブル接続箱。
【請求項４】
前記第１の把持部及び前記第３の把持部は、外被を把持する窪みを有し、当該窪みの表面には、突出したリブ又は突起が設けられたことを特徴とする請求項１〜３の何れか１項に記載のケーブル接続箱。
【請求項５】
光ファイバケーブルを挿通するための挿通孔が厚み方向に設けられ、前記ケース本体の各導入口に形成されたリブに凹凸嵌合することで当該各導入口の近傍に設置されたシール部材をさらに備えた請求項１〜４の何れか１項に記載のケーブル接続箱。
【請求項６】
前記シール部材は、光ファイバケーブルの未挿通状態ではケーブル導入側に凸状に出っ張った、前記挿通孔を塞ぐための栓塞用部位を備え、
当該栓塞用部位により塞がれた前記挿通孔の先端位置が当該栓塞用部位の根元位置よりもケーブル導入側に寄っていることを特徴とする請求項５記載のケーブル接続箱。
【請求項７】
前記シール部材の挿通孔周辺における、当該シール部材を前記導入口のリブに嵌合させるべく圧入する側には、スリットが形成され、
当該挿通孔内面にはリブが形成され、前記スリット形成側のリブの高さが、対向する側のリブの高さよりも低くなっていることを特徴とする請求項５又は請求項６に記載のケーブル接続箱。
【請求項８】
前記挿通孔内面に形成されたリブは、ケース本体の内側へ向けて所定角度傾斜していることを特徴とする請求項７記載のケーブル接続箱。
【発明の詳細な説明】
【０００１】
【発明の属する技術分野】
本発明は、ケーブル接続箱に係り、より詳しくは、光ファイバケーブルの接続部又は余長部を収納するケーブル接続箱に関する。
【０００２】
【従来の技術】
光ファイバケーブルの接続部又は余長部を収納するためのケーブルクロージャとしては、種々のものがあるが、これらの１つに簡易型の箱形式のケーブル接続箱が知られている（特開平１１−１８５８６６号公報、特開平９−２３５３３号公報、特開平１１−２０２１４７号公報等）。
【０００３】
かかる従来のケーブル接続箱では、ケーブル固定は一般にケーブル外被と、該ケーブルの中心軸としてのテンションメンバとをそれぞれ把持することで行われていた。このとき、ケーブル接続箱に左又は右から導入される光ファイバケーブルは、その導入された側でその外被及びテンションメンバが把持されていた。
【０００４】
【発明が解決しようとする課題】
しかしながら、上記の把持構造では、ケーブル接続箱の左右からそれぞれ導入される光ファイバケーブルの把持用部品を、箱内の左右にそれぞれ設ける必要があるため、ケーブル接続箱の部品点数が多くなり、コスト削減や構造の簡易化が困難となるという不都合があった。
【０００５】
本発明は、上記課題を解決するために成されたものであり、必要な部品点数を削減することができるケーブル接続箱を提供することを目的とする。
【０００６】
【課題を解決するための手段】
上記目的を達成するために、本発明に係るケーブル接続箱は、光ファイバケーブルの接続部又は余長部を収納するケーブル接続箱において、前面側が開口された前面開口部を有し、左右両側の側面に前記光ファイバケーブルの導入口が形成されたケース本体と、前記ケース本体に取り付けられ、該ケース本体の前面開口部を開閉自在に閉塞するケース蓋と、光ファイバ心線の接続部又は余長部を収納するトレイと、前記ケース本体の左側側面の近傍に当該左側側面に沿って設置され、左側側面の導入口から導入された光ファイバケーブルの外被を把持固定する第１の把持部と、右側側面の導入口から導入された光ファイバケーブルのうちの外被が剥離されたスロット又はスロットが剥離されたテンションメンバを把持固定する第２の把持部とが交互に配置され、前記第１の把持部と前記第２の把持部とが一体的に形成された左側把持部材と、前記ケース本体の右側側面の近傍に当該右側側面に沿って設置され、右側側面の導入口から導入された光ファイバケーブルの外被を把持固定する第３の把持部と、左側側面の導入口から導入された光ファイバケーブルのうちの外被が剥離されたスロット又はスロットが剥離されたテンションメンバを把持固定する第４の把持部とが交互に配置され、前記第３の把持部と前記第４の把持部とが一体的に形成された右側把持部材と、を備え、左側側面の導入口、当該導入口に対応する第１の把持部及び第４の把持部が、略同一線上に配置され、右側側面の導入口、当該導入口に対応する第３の把持部及び第２の把持部が、略同一線上に配置されたことを特徴とする。
【０００７】
以上のような本発明に係るケーブル接続箱では、左右両側から導入される光ファイバケーブルを把持する場合、以下のような把持構造となる。即ち、第１の把持部と第２の把持部とが一体的に形成された左側把持部材、第３の把持部と第４の把持部とが一体的に形成された右側把持部材において、左側から導入される光ファイバケーブルについては、左側側面の導入口、当該導入口に対応する第１の把持部及び第４の把持部が、略同一線上に配置されているので、左側把持部材の第１の把持部により外被が把持され、右側把持部材の第４の把持部によりスロット又はテンションメンバが把持される。一方、右側から導入される光ファイバケーブルについては、右側側面の導入口、当該導入口に対応する第３の把持部及び第２の把持部が、略同一線上に配置されているので、右側把持部材の第３の把持部により外被が把持され、左側把持部材の第２の把持部によりスロット又はテンションメンバが把持される。
【０００８】
ここで、左側把持部材及び右側把持部材に着目すると、一の把持部材が、一方から導入された光ファイバケーブルの外被を把持すると同時に、他方から導入された光ファイバケーブルのスロット又はテンションメンバを把持する構造となる。
【０００９】
このように、一の把持部材が、複数方向から導入された光ファイバケーブルの把持に寄与するので、ケーブル把持用部材を箱内の左右にそれぞれ設ける必要があった従来に比べ、必要な部品点数を大幅に削減することができる。
【００１０】
また、一の光ファイバケーブルにおける外被の把持位置と、スロット又はテンションメンバの把持位置との距離を従来の構成よりも長くすることができるので、光ファイバ心線を曲げて避けやすくなり、ケーブルの口出し作業を容易にすることができる。
【００１１】
好ましくは、左側把持部材と右側把持部材とを同一形状の部品で構成し、これらをケース本体の中央部の所定点に対して点対称となる位置に配置する。これは、第１〜第４の把持部を２以上の同じ数ずつ設けた場合、即ち、ケーブル接続箱に対し左右からそれぞれ２以上の同じ本数ずつ光ファイバケーブルを導入する構成とした場合に相当する。かかる構成では、左側把持部材と右側把持部材とを同じ部品として生産し管理できるので、部品の種類を削減することができ、部品管理を簡易にすることができる。
【００１２】
また、好ましくは、トレイがケース本体の前面開口部内に所定のトレイ回動軸回りに回動自在に取り付けられ、左側把持部材及び右側把持部材の両端部に、トレイ回動軸の軸穴と嵌合し回転軸として機能する棒状の突起が設けられている。これにより、トレイ回動軸の軸穴と嵌合し回転軸となる部材を、左側把持部材及び右側把持部材とは別に独立して設置する必要がなくなるので、部品点数をさらに削減することができる。
【００１３】
また、好ましくは、第１の把持部及び第３の把持部は、外被を把持する窪みを有し、当該窪みの表面には、突出したリブ又は突起が設けられている。これにより、第１の把持部又は第３の把持部によって、光ファイバケーブルの外被を把持する場合、外被が、窪み表面に突出したリブ又は突起に圧接されるので、ケーブルの外被把持を効果的に行うことができる。
【００１４】
また、好ましくは、本発明に係るケーブル接続箱において、光ファイバケーブルを挿通するための挿通孔が厚み方向に設けられ、ケース本体の各導入口に形成されたリブに凹凸嵌合することで当該各導入口の近傍に設置されたシール部材を、さらに備えている。このような挿通孔を備えたシール部材を、ケース本体の各導入口に形成されたリブに凹凸嵌合することで当該各導入口の近傍に設置することで、シール性を高めることができるとともに、ケーブル導入方向に沿ったケーブルの位置決めを精度良く行うことができる。
【００１５】
また、好ましくは、シール部材は、光ファイバケーブルの未挿通状態ではケーブル導入側に凸状に出っ張った、挿通孔を塞ぐための栓塞用部位を備えており、当該栓塞用部位により塞がれた挿通孔の先端位置が当該栓塞用部位の根元位置よりもケーブル導入側に寄っている。この場合、光ファイバケーブルの未挿通状態では、シール部材は栓塞用部位を備えているので、別途の栓塞部材が不要となり、部品点数をさらに削減することができる。
【００１６】
また、栓塞用部位は、ケーブル導入側に凸状に出っ張っているので、光ファイバケーブルの挿通時に、カッター等により切りやすく、ケーブル接続箱本体を傷つける恐れは少ない。さらに、塞がれた挿通孔の先端位置が当該栓塞用部位の根元位置よりもケーブル導入側に寄っているので、栓塞用部位を切ると、塞がれていた挿通孔の内径が精度良く形成される、という利点がある。
【００１７】
また、好ましくは、シール部材の挿通孔周辺における、当該シール部材を導入口のリブに嵌合させるべく圧入する側には、スリットが形成されており、当該挿通孔内面にはリブが形成され、スリット形成側のリブの高さが、対向する側のリブの高さよりも低くなっている。この場合、シール部材は、スリットを開き光ファイバケーブルに装着され、そのスリット側をケーブル接続箱本体の導入口のリブに嵌合させるべく圧入する。ここで、シール部材の挿通孔内面にはリブが形成され、スリット形成側のリブの高さが、対向する側のリブの高さよりも低くなっているので、スリット形成側（圧入する側）のケーブル接続箱本体基準（ケーブルの片側基準）で光ファイバケーブルをシール部材に装着することができ、ケーブルの中心軸基準の場合よりも位置調節機構の簡易化を図ることができる。
【００１８】
このとき、一般にケーブルの片側基準では、ケーブルの外径変動にシール部材が追従しづらいという欠点があるが、ここでは、スリットと対向する側では、リブが相対的に高くなっているので、ケーブルの外径変動に柔軟に追従でき、シール部材のシール性を確保することができる。また、ケーブルの導入位置と、スロット又はテンションメンバの把持位置との距離が長いので、ケーブルの外径が変動しても当該ケーブルの導入角度の変動を抑えることができる。
【００１９】
また、好ましくは、挿通孔内面に形成されたリブは、ケース本体の内側へ向けて所定角度傾斜している。この場合、ケーブルを挿通口に挿通した後、挿通孔内面のリブは必ず箱の内側に傾斜するので、シール部材によるシール性をさらに向上させることができる。
【００２０】
【発明の実施の形態】
本発明に係るケーブル接続箱の一実施の形態について説明する。
【００２１】
図１（ａ）、（ｂ）には本実施形態に係るケーブル接続箱１０の外観を表す正面図、側面図をそれぞれ示し、図２（ａ）、（ｂ）には本実施形態に係るケーブル接続箱１０の内部を表す正面図、側面図をそれぞれ示す。また、図１２は、光ファイバケーブル１４の構成図である。
【００２２】
まず、光ファイバケーブルの構成を概説する。図１２に示すように、光ファイバケーブル１４は、中心軸にテンションメンバ１４Ｂが設けられており、このテンションメンバ１４Ｂが絶縁性のスロット１４Ｃで被われている。スロット１４Ｃの外周にはスロット溝１４Ｅが形成されており、このスロット溝１４Ｅ内に複数の光ファイバ心線１４Ｄが挿入されている。スロット１４Ｃ及び光ファイバ心線１４Ｄは、絶縁性の外被１４Ａで被われている。
【００２３】
ケーブル接続箱１０は、このような構成の光ファイバケーブル１４の接続部又は余長部を収納するものであり、図１（ａ）、（ｂ）に示すように、このケーブル接続箱１０は、角のとれた略直方体の箱状で、メッセンジャーワイヤＳに吊り金具１２により固定されている。
【００２４】
このケーブル接続箱１０は、前面側が開口された前面開口部を有し左右両側の側面に光ファイバケーブル１４の導入口１０Ｃが形成されたケース本体１０Ａと、ケース本体１０Ａに取り付けられ該ケース本体１０Ａの前面開口部を開閉自在に閉塞するケース蓋１０Ｂとにより覆われている。
【００２５】
図２（ａ）、（ｂ）に示すように、ケーブル接続箱１０内には、光ファイバ心線１４Ｄ（図１１の通過心線３０及び接続心線３１）の接続部又は余長部を収納する複数段から成るトレイ１６が、ケース本体１０Ａの前面開口部内に取出し可能な状態で所定のトレイ回動軸Ｔ１回りに矢印Ａ方向に回動自在に取り付けられている。このトレイ１６は、図１１に示すように、光ファイバ心線１４Ｄのうち通過心線３０を収納できるとともに、接続心線３１用の接続固定部１８を備え接続心線３１の収納も可能となっている。即ち、片端導入タイプと中間分岐タイプの両方について、光ファイバ心線１４Ｄの接続部又は余長部の収納が可能となっている。
【００２６】
具体的には、図２（ａ）に示す光ファイバ心線１４Ｄは図１１の通過心線３０に相当するが、この通過心線は、箱中央のガイド部材３２に引っかけられ、心線余長を心線の曲げ半径３０ｍｍ以上でループ取りし最下段のトレイ１６に収納される。一方の接続心線は、図示は省略したが、上記同様にガイド部材３２に引っかけられ、心線余長及び接続部を心線の曲げ半径３０ｍｍ以上でループ取りし、下から２番目のトレイ１６に収納される。なお、接続部は図１１の接続固定部１８にて固定される。
【００２７】
このようなトレイ１６は、図５（ａ）、（ｂ）に示すトレイ台３４上に載置され、軸穴３４Ａの中心と一致するトレイ回動軸Ｔ１回りに回動自在とされている。トレイ台３４は、側方からみるとＬ字状とされ、その平面形状は一例として、軸Ｔ２に対し左右対称な逆三角形状とされている。
【００２８】
ところで、本実施形態のケーブル接続箱１０では、図２（ａ）に示す把持部材２２とそのケーブル把持構造、及びシール部材２０の構造に特徴がある。そこで、以下、これら本発明に係る特有の構成について順に説明する。
【００２９】
まず、本発明に係る特有の構成として、把持部材２２及びそのケーブル把持構造について詳述する。
【００３０】
図２（ａ）、図３（ａ）に示すように、ケース本体１０Ａの左側側面近傍には、左側側面の導入口から導入された光ファイバケーブル１４の外被を把持固定する外被把持部２４と、右側側面の導入口から導入された光ファイバケーブル１４のうちの外被が剥離されたスロット又はスロットが剥離されたテンションメンバ（以下、「テンションメンバ等」という。）を把持固定するテンションメンバ把持部２６とが交互に配置された左側把持部材２２Ｌが、当該左側側面に沿って設置されている。
【００３１】
外被把持部２４には、図６（ａ）、（ｂ）に示すように、断面が略半円状の窪み２４Ａが設けられ、窪み２４Ａには軸２４Ｓに沿って３列のリブ２５が設けられている。この窪み２４Ａに光ファイバケーブル１４の外被が載せられ、当該外被は、上から略半円状の締結部材により把持固定される。テンションメンバ把持部２６には図３（ａ）の軸２６Ｓに沿って貫通孔が設けられており、当該貫通孔にテンションメンバ又はスロットが挿通され固定ボルト２６Ａにより把持固定される。なお、上記で窪み２４Ａにリブ２５を設けたことで、外被を把持する場合、外被がリブ２５に圧接されるので、ケーブルの外被把持を効果的に行うことができる、という効果がある。
【００３２】
上記と同様に、ケース本体１０Ａの右側側面近傍にも、右側側面の導入口から導入された光ファイバケーブル１４の外被を把持固定する外被把持部２４と、左側側面の導入口から導入された光ファイバケーブル１４のうちのテンションメンバ等を把持固定するテンションメンバ把持部２６とが交互に配置された右側把持部材２２Ｒが、当該右側側面に沿って設置されている。
【００３３】
ここで、左側側面の導入口、当該導入口に対応する左側把持部材２２Ｌの外被把持部２４及び右側把持部材２２Ｒのテンションメンバ把持部２６が、略同一線上に配置されている。このため、左側から導入される光ファイバケーブル１４については、左側把持部材２２Ｌの外被把持部２４により外被が把持され、右側把持部材２２Ｒのテンションメンバ把持部２６によりスロット又はテンションメンバが把持される。
【００３４】
同様に、右側側面の導入口、当該導入口に対応する右側把持部材２２Ｒの外被把持部２４及び左側把持部材２２Ｌのテンションメンバ把持部２６が、略同一線上に配置されているため、右側から導入される光ファイバケーブルについても、右側把持部材２２Ｒの外被把持部２４により外被が把持され、左側把持部材２２Ｌのテンションメンバ把持部２６によりスロット又はテンションメンバが把持される。
【００３５】
ここで、左右の各把持部材２２に着目すると、一の把持部材２２が、一方から導入された光ファイバケーブル１４の外被を把持すると同時に、他方から導入された光ファイバケーブル１４のスロット又はテンションメンバを把持する構造となる。
【００３６】
このように、一の把持部材２２が、複数方向から導入された光ファイバケーブル１４の把持に寄与するので、ケーブル把持用部材を箱内の左右にそれぞれ設ける必要があった従来に比べ、必要な部品点数を大幅に削減することができる。
【００３７】
また、一の光ファイバケーブル１４における外被の把持位置と、スロット又はテンションメンバの把持位置との距離を従来の構成よりも長くすることができる。具体的には、従来、一の光ファイバケーブルにおける外被の把持位置と、テンションメンバの把持位置との距離は約５０ｍｍであったところ、本実施形態では、当該距離を約１３０ｍｍも確保することができる。この距離は、ケーブル接続箱１０のケーブル導入方向に沿った外形寸法が約２８２ｍｍであるので、その約半分の距離に相当する。これにより、光ファイバ心線を曲げて避けやすくなり、ケーブルの口出し作業を容易にすることができる、という効果も得られる。
【００３８】
また、本実施形態において特筆すべきことは、左側把持部材２２Ｌと右側把持部材２２Ｒとが同一形状の部品で構成されていることである。即ち、２つの同一形状の把持部材を図４に示すように、ケース本体１０Ａのほぼ中央の所定点Ｃに対し点対称となる位置に配置することで、前述した把持部材２２Ｌ、２２Ｒによるケーブルの把持構造を実現している。このようにして左側把持部材２２Ｌと右側把持部材２２Ｒとを同じ部品で構成できるので、これら把持部材２２Ｌ、２２Ｒを同じ部品として生産し管理できるので、部品の種類を削減することができ、部品管理を簡易にすることができる。
【００３９】
さらに、図３（ａ）、（ｂ）に示すように、把持部材２２の両端部には、図５（ｂ）のトレイ台３４の軸穴３４Ａと嵌合し回転軸として機能する棒状の突起２８が設けられている。この突起２８は、図３（ｂ）の矢印Ｂ方向（図２（ｂ）の矢印Ｂ方向に相当）に突出した腕部２２Ａの先端に形成されている。このため、図２（ａ）において、左側把持部材２２Ｌの下端の突起２８及び右側把持部材２２Ｒの下端の突起２８は、図２（ｂ）の軸穴３４Ａと嵌合することで、これら突起２８がトレイ台３４の回転軸として機能することとなる。これにより、トレイ台３４の回動軸穴３４Ａと嵌合し回転軸となる部材を、左側把持部材２２Ｌ及び右側把持部材２２Ｒとは別に独立して設置する必要がなくなるので、部品点数をさらに削減することができる。
【００４０】
次に、本発明に係る特有の構成として、シール部材２０の構造について詳述する。図２（ａ）に示すように、シール部材２０は、ケース本体１０Ａの左右の側壁と左右の把持部材２２との間に、ケーブル導入口と同心軸上に左右各２つずつ設置されている。
【００４１】
図７及び図９（ｂ）に示すように、シール部材２０は、凹部２０Ｃを、上下左右方向に該凹部２０Ｃよりも突出した２つの凸部２０Ｂにより両側から挟む構造とされており、かかる凹凸構造がケース本体１０Ａの各導入口に形成されたリブに凹凸嵌合することで、各シール部材２０がケース本体１０Ａに固定される。これにより、ケーブル接続箱１０のシール性を高めることができるとともに、ケーブル導入方向に沿ったケーブルの位置決めを精度良く行うことができる。なお、凹凸嵌合の形態は上記に限定されるものではなく、シール部材２０の側面及び底面において、上記例とは反対に中央に凸部が存在する構造でもよいし、３つ以上の凹部、凸部が存在する構造でもよい。
【００４２】
また、シール部材２０には、光ファイバケーブル１４を挿通するための挿通孔２０Ｄが厚み方向に設けられているが、ケーブルの未挿通状態ではケーブル導入側に凸状に出っ張った、挿通孔２０Ｄを塞ぐための円筒状の栓塞用部位２０Ａが設けられている。ここで、図９（ａ）、（ｃ）のＤ−Ｄ線断面図を示す図１０より明らかなように、栓塞用部位２０Ａにより塞がれた挿通孔２０Ｄの先端位置Ｖ１が当該栓塞用部位２０Ａの根元位置Ｖ２よりもケース外側に寄っている、という特徴がある。
【００４３】
かかる構成により、光ファイバケーブルの未挿通状態では、シール部材２０は栓塞用部位２０Ａを備えているので、別途の栓塞部材が不要となり、部品点数をさらに削減することができる。また、栓塞用部位２０Ａが、ケース外側に凸状に出っ張っているので、光ファイバケーブルの挿通時に、カッター等により当該栓塞用部位２０Ａを切断するのが容易であり、ケーブル接続箱１０を傷つける恐れが少なくなる。さらに、塞がれた挿通孔２０Ｄの先端位置が当該栓塞用部位２０Ａの根元位置よりもケース外側に寄っているので、栓塞用部位２０Ａを切断すると、塞がれていた挿通孔２０Ｄの内径が精度良く形成される、という効果がある。
【００４４】
また、図８、図９（ａ）、（ｃ）に示すように、シール部材２０の挿通孔２０Ｄの下側（即ち、シール部材２０を導入口のリブに嵌合させるべく圧入する側）には、スリット２０Ｆが形成されており、当該挿通孔２０Ｄの内面にはリブ２０Ｅが形成されている。図１０より明らかなように、スリット形成側（下側）のリブ２０Ｅの高さが、対向する側（上側）のリブ２０Ｅの高さよりも低くなっている。このため、図８では挿通孔２０Ｄが栓塞用部位２０Ａに対し下方に偏心しているように見える。
【００４５】
かかる構成であるため、シール部材２０は、スリット２０Ｆを開き光ファイバケーブル１４に装着され、その底面の凹凸構造をケース本体１０Ａの導入口のリブに嵌合させるべく下側に圧入する。ここで、シール部材２０の挿通孔２０Ｄの内面にはリブ２０Ｅが形成され、下側のリブ２０Ｅの高さが、対向する上側のリブ２０Ｅの高さよりも低くなっているので、圧入する下側のケーブル接続箱１０の本体基準（即ち、ケーブルの片側基準）で光ファイバケーブル１４をシール部材２０に装着することができ、ケーブルの中心軸基準の場合のような上下双方からの位置調節機構が不要となり、位置調節機構の簡易化を図ることができる。
【００４６】
このとき、一般にケーブルの片側基準では、ケーブルの外径変動にシール部材が追従しづらいという欠点があるものの、本実施形態では、スリット２０Ｆと対向する上側では、リブ２０Ｅが下側よりも相対的に高くなっているので、ケーブルの外径変動に柔軟に追従でき、シール部材２０のシール性を確保することができる。また、ケーブルの導入位置と、スロット又はテンションメンバの把持位置との距離が長いので、ケーブルの外径が変動しても当該ケーブルの導入角度の変動を小さく抑えることができる。
【００４７】
また、図１０より明らかなように、挿通孔２０Ｄの内面に形成されたリブ２０Ｅは、ケース本体の内側へ向けて所定角度傾斜している、という特徴がある。このため、ケーブルを挿通口２０Ｄに挿通した後、複数のリブ２０Ｅは必ず箱の内側へ傾斜するので、リブの傾斜方向の不揃いが生じる余地がなくなり、シール部材２０によるシール性をさらに向上させることができる。
【００４８】
以上説明した本実施形態によれば、大きな効果としては、必要な部品点数を大幅に削減することができるという効果、及びケーブルの片側基準採用に伴うケーブルのシール性の低下を回避しつつシール部材２０によるシール性を向上させることができるという効果が得られる。
【００４９】
なお、上記実施形態に係る図２（ａ）には、左から１本、右から２本の光ファイバケーブルを導入し、片端接続を１本、中間分岐接続を１本実現する例を示したが、この図２（ａ）のケーブル接続箱１０は左から２本の光ファイバケーブルを導入可能に構成されているので、例えば、片端接続を左右各々から２本ずつ行ったり、中間分岐接続を２本分行うこともできる。このように左右からの導入本数の許容範囲内では、片端接続と中間分岐接続を自由に組み合わせて実現することができる。
【００５０】
以上説明したように、本発明によれば、第１の把持部材と第２の把持部材とを一体形成した左側把持部材、及び第３の把持部材と第４の把持部材とを一体形成した右側把持部材に着目すると、一の把持部材が、一方から導入された光ファイバケーブルの外被を把持すると同時に、他方から導入された光ファイバケーブルのスロット又はテンションメンバを把持する構造となるので、ケーブル把持用部材を箱内の左右にそれぞれ設ける必要があった従来に比べ、必要な部品点数を大幅に削減することができる。また、一の光ファイバケーブルにおける外被の把持位置と、スロット又はテンションメンバの把持位置との距離を従来の構成よりも長くすることができるので、光ファイバ心線を曲げて避けやすくなり、ケーブルの口出し作業を容易にすることができる。
【図面の簡単な説明】
【図１】（ａ）は本発明の実施形態に係るケーブル接続箱の外観を示す正面図であり、（ｂ）は（ａ）の側面図である。
【図２】（ａ）は本発明の実施形態に係るケーブル接続箱の内部を示す正面図であり、（ｂ）は（ａ）の側面図である。
【図３】（ａ）はケーブル接続箱に内蔵された把持部材の平面図であり、（ｂ）は把持部材の両端部の棒状突起の構成を示す図である。
【図４】ケーブル接続箱内における左右の把持部材の位置関係を示す図である。
【図５】（ａ）はトレイ台の正面図であり、（ｂ）は（ａ）の側面図である。
【図６】（ａ）は把持部材における外被把持部の斜視図であり、（ｂ）は窪みの中心軸２４Ｓに垂直な断面図である。
【図７】シール部材の外観を示す斜視図である。
【図８】シール部材の栓塞用部位を切断した後の構成を示す図である。
【図９】（ａ）はシール部材を設置状態の箱の内側から投影した図であり、（ｂ）は（ａ）の側面図であり、（ｃ）はシール部材を設置状態の箱の外側から投影した図である。
【図１０】図９（ａ）、（ｃ）におけるＤ−Ｄ線断面図である。
【図１１】トレイの平面図である。
【図１２】光ファイバケーブルの構成図である。
【符号の説明】
１０…ケーブル接続箱、１０Ａ…ケース本体、１０Ｂ…ケース蓋、１０Ｃ…導入口、１４…光ファイバケーブル、１４Ａ…外被、１４Ｂ…テンションメンバ、１４Ｃ…スロット、１４Ｄ…光ファイバ心線、１６…トレイ、１８…接続固定部、２０…シール部材、２０Ａ…栓塞用部位、２０Ｄ…挿通孔、２０Ｅ…リブ、２０Ｆ…スリット、２２…把持部材、２４…外被把持部、２５…リブ、２６…テンションメンバ把持部、２８…突起、３０…通過心線、３１…接続心線、３２…ガイド部材、３４…トレイ台、３４Ａ…軸穴、Ｔ１…トレイ回動軸
【図１】
0003574633.tif 000002
【図２】
0003574633.tif 000003
【図３】
0003574633.tif 000004
【図４】
0003574633.tif 000005
【図５】
0003574633.tif 000006
【図６】
0003574633.tif 000007
【図７】
0003574633.tif 000008
【図８】
0003574633.tif 000009
【図９】
0003574633.tif 000010
【図１０】
0003574633.tif 000011
【図１１】
0003574633.tif 000012
【図１２】
0003574633.tif 000013